(57)【要約】【課題】検索すべき位置近辺を指定する位置情報、及び検索結果の地図画像に併記すべき情報を地図上の緯度及び経度情報を含む言語形式で記述し、地図情報の検索処理を外部の検索サイトに代行させて、システムの設備負担を軽減する。【解決手段】広告データベースサーバ１は、広告主が依頼する広告及び地域ＩＤをデータベースにそれぞれ記憶し、ウェブサーバ２からの要求により、広告情報や地域情報を検索する。ウェブサーバ２は、広告主を含むユーザを認証する処理や、広告情報の登録処理の他、広告情報等を地図情報と合成して提供する処理を行う。また、インターネット網上の他の既成の検索サイト等と情報交換するために必要なＫＭＬ（Keyhole Markup Language）形式のプログラムやデータの作成を行う。ユーザ端末装置３は、広告情報等の登録や、地図情報の検索を行う際に使用され、また、検索結果である地図情報等を表示する。【選択図】図１
2009140209.tif 000002
【特許請求の範囲】
【請求項１】
ネットワークを介して相互に通信接続された広告データベースサーバ、ウェブサーバ、及びユーザ端末装置から構成され、前記ユーザ端末装置から指定された位置情報に関連する地図情報に、前記広告データベースサーバから摘出した広告情報を合成した地図画像を、前記ユーザ端末装置に表示する地図表示情報の作成システムであって、
広告主の広告を前記広告データベースサーバに登録する手段と、
ユーザ等の位置情報と検索結果の地図情報に併記すべき表示情報を含むＫＭＬ（Keyhole Markup Language）を、前記ユーザ端末装置において作成し、前記ウェブサーバに送信する手段と、
前記位置情報に示されている位置近辺の広告主の広告を、前記ウェブサーバからの依頼により、前記広告データベースサーバにおいて検索し、前記ウェブサーバに送信する手段と、
前記ＫＭＬに含まれる前記位置情報及び前記表示データと、前記検索結果として摘出された広告とを含む広告付きＫＭＬを、前記ウェブサーバにおいて作成する手段と、
前記広告付きＫＭＬを、前記ユーザ端末装置または外部の検索システムに送信する手段と、
を備えたことを特徴とする地図表示情報の作成システム。
【請求項２】
前記表示情報には、テキストデータ又は写真を含む画像データ、及び動画が含まれていることを特徴とする請求項１に記載の地図表示情報の作成システム。
【請求項３】
前記ユーザ端末装置は、前記ＫＭＬを作成し、その応答である広告付きの地図情報を表示するブラウザアプリケーションを備えていることを特徴とする請求項１又は２に記載の地図表示情報の作成システム。
【請求項４】
前記ウェブサーバにおいて作成される前記広告付きＫＭＬには、前記位置情報が示す位置から前記広告主の広告ポイントまでの案内表示データ及び階層的構成の広告情報が含まれており、地図情報の検索時に、検索結果の地図情報に併せて、前記階層的構成の広告情報が、前記ブラウザアプリケーションの、前記構成されている階層に沿った画面操作に基づいて、順次表示されることを特徴とする請求項３に記載の地図表示情報の作成システム。
【請求項５】
前記案内表示データには、前記位置情報が示す位置から前記広告主の広告ポイントまでの距離及び／または方角を示すデータが含まれていることを特徴とする請求項４に記載の地図表示情報の作成システム。
【請求項６】
ネットワークを介して相互に通信接続された広告データベースサーバ、ウェブサーバ、及びユーザ端末装置を備え、前記ユーザ端末装置から指定された位置情報に関連する地図情報に、前記広告データベースサーバから摘出した広告情報を合成した地図画像を、前記ユーザ端末装置に表示する地図表示情報の作成方法であって、
広告主の広告を前記広告データベースサーバに登録するステップと、
ユーザ等の位置情報と検索結果の地図情報に併記すべき表示情報を含むＫＭＬ（Keyhole Markup Language）を、前記ユーザ端末装置において作成し、前記ウェブサーバに送信するステップと、
前記位置情報に示されている位置近辺の広告主の広告を、前記ウェブサーバからの依頼により、前記広告データベースサーバにおいて検索し、前記ウェブサーバに送信するステップと、
前記ＫＭＬに含まれる前記位置情報及び前記表示データと、前記検索結果として摘出された広告とを含む広告付きＫＭＬを、前記ウェブサーバにおいて作成するステップと、
前記広告付きＫＭＬを、前記ユーザ端末装置または外部の検索システムに送信するステップと、
を備えたことを特徴とする地図表示情報の作成方法。
【請求項７】
前記表示情報には、テキストデータ又は写真を含む画像データ、及び動画が含まれていることを特徴とする請求項６に記載の地図表示情報の作成ステップ。
【請求項８】
前記ユーザ端末装置は、前記ＫＭＬを作成し、その応答である広告付きの地図情報を表示するブラウザアプリケーションを備えていることを特徴とする請求項６または請求項７に記載の地図表示情報の作成方法。
【請求項９】
前記ウェブサーバにおいて作成される前記広告付きＫＭＬには、前記位置情報が示す位置から前記広告主の広告ポイントまでの案内表示データ及び階層的構成の広告情報が含まれており、地図情報の検索時に、検索結果の地図情報に併せて、前記階層的構成の広告情報が、前記ブラウザアプリケーションの、前記構成されている階層に沿った画面操作に基づいて、順次表示されることを特徴とする請求項３に記載の地図表示情報の作成方法。
【請求項１０】
前記案内表示データには、前記位置情報が示す位置から前記広告主の広告ポイントまでの距離及び／または方角を示すデータが含まれていることを特徴とする請求項９に記載の地図表示情報の作成方法。
【発明の詳細な説明】
【技術分野】
【０００１】
本発明は、地図表示情報の作成システム及び地図表示情報の作成方法に係り、特に、地理的特徴を有するＰＯＩ（Point of Interest）の地図表示情報の作成システム及び地図表示情報の作成方法に関する。
【背景技術】
【０００２】
近年、携帯電話器やナビゲーション装置の普及と共に、地図情報の利用が盛んになり、例えば、移動しているユーザ近辺の地図情報や移動経路等を検索して利用することが普及している。
【０００３】
移動中のユーザの携帯端末装置（携帯電話器やナビゲーション装置）に送信される地図情報としては、当該ユーザ近辺の地図データ、当該ユーザの現在位置データ、当該ユーザに適合した個別の属性情報（例えば、広告情報、連絡情報、通知情報）等が含められる（例えば、特許文献１を参照）。
【０００４】
この移動しているユーザ近辺の地図情報や移動経路は、当該ユーザ自身が利用することの他、当該ユーザ（例えば、営業担当者や要介護者）を遠隔地で管理している管理者側（例えば、営業所や介護サービスセンター）においても利用されている（例えば、特許文献２を参照）。
【０００５】
また、地図情報に広告情報を含める提案としては、ユーザの生活圏を中心とする店舗等の情報を、ユーザ端末装置から予め登録し、選択されたエリア内の地図に、広告依頼者端末装置を介して広告を依頼していた店舗の位置情報を表示するシステムも開示されている（例えば、特許文献３を参照。）。
【０００６】
表示した地図上に、図像化した広告対象物を併せて表示し、ユーザ（広告受給者）には、当該図像化した広告対象物を選択させることにより、選択された広告対象物に対応する広告情報を表示する方法が開示されている（例えば、特許文献４を参照。）。
【０００７】
一方、インターネット網上では、既成の検索専門サイトも地図情報の検索には力を入れており、例えば、Ｇｏｏｇｌｅ社では、ローカル検索の他、地図による三次元的な検索・表示を可能にする検索システムの「Googleアース」（「Google」は米国グーグル社の登録商標）や、携帯電話器にも対応している検索システムである「Googleマップ」等による検索サービスが提供されている。さらに、動画投稿サイトであるユーチューブ社等とも連携し、地図上の特定地点における街の様子などを撮影して表示することも可能となっている。
【０００８】
また、インターネット広告の背景としては、検索システムの発達によってインターネットを使うユーザが特定のポータルサイトからリンクをたどって目的のサイトにたどりつくのではなく、検索システムを利用して目的のサイトに直接たどりつくような利用形態の変化が起きている。このためインターネット広告の形態も、アクセスの多いポータルサイトに単価の高い広告出す方法から、アクセスは比較的少なくとも最終的にユーザが行きつくコンテンツサイトに単価の低い広告を大量に出す流れになってきている。
【特許文献１】特開２００２−３２３９９号公報
【特許文献２】特開２００４−４０５７８号公報
【特許文献３】特開２００６−４０１２９号公報
【特許文献４】特許第２７５６４８３号公報
【発明の開示】
【発明が解決しようとする課題】
【０００９】
しかし、このような従来の地図表示情報の作成システムにあっては、情報の経路が、移動しているユーザと、広告主等との間に限定されており、例えば、ユーザが過去において実際に経験して得た情報（例えば、移動経路を示す画像データ、ユーザ等の顔写真データ、ユーザの現在位置や移動経路周辺の風景写真データ、周辺の風景の動画データ、ユーザ等のメッセージ（テキストデータ））をインターネット網を介して第三者にリアルタイムで公開することまでは意図されていなかった。
【００１０】
さらに第三者の検索システムに対して検索されることを意図していなかった。本発明は、ユーザが多く利用しているインターネット全体を検索範囲とする検索サイトの検索結果に対して有効な広告情報を付加する手段であり、自前の検索システムではなく、多くのユーザが利用している、インターネット全体の検索システムと連動してより多くのユーザに広告を表示することを可能としたシステムである。
【００１１】
また、従来のシステムにおいては、要求される情報の登録、検索システムの更新、検索、等の一連の処理の全てを、自前のユニットだけで賄っており、システムの構築に膨大な経費が掛かることも問題点であった。例えば、このような従来システムのサーバは、自前の情報入力フォーマットで登録情報をユーザや広告主に入力、送信させ、受信後は自前の処理部だけで処理しており、かつ外部の検索サイトへの繋がりを得られていないため、サーバ処理部の実行負担が大きくなると共に、ユーザ側の端末装置にインストールされる処理ユニット（ブラウザ）も大きくなっていた。
【００１２】
また、特許文献４の方法は、表示された地図上に広告対象物を表示し、これをユーザに選択させることにより、選択された広告対象物に対応する広告を表示するものであり、本発明のように、ユーザの現在位置近辺の店舗に関する広告を表示するものではない。
【００１３】
一方、近年、アプリケーション・プログラムにおいて経度及び緯度情報を有する地図空間情報の表示と管理を目的として、ＸＭＬ（Extensible Markup Language）ベースのマークアップ言語であるＫＭＬ（Keyhole Markup Language）が利用できるようになり、ＫＭＬ形式で記述されたＫＭＬファイル（本願では、適宜「ＫＭＬ」という）には、「Google Earth」、「Google Maps」、「Google Mobile」等で表示する目印、イメージ、ポリコン、３Ｄモデル、説明等の要素を記述することが可能となるに至っている。
【００１４】
このため、本発明は、検索すべき位置近辺を指定する位置情報、及び検索結果の地図画像に併記すべき情報をＫＭＬで記述し、地図情報の検索処理を外部の既成の検索サイトに代行させることを可能にして、システムの設備負担を軽減した地図表示情報の作成システムの提供を目的とするものである。
【００１５】
本発明の他の目的は、ＫＭＬ出力サイトによって記録されたユーザに関する情報（例えば、移動経路を示す画像データ、ユーザ等の顔写真データ、ユーザ等の現在位置や移動経路周辺の風景写真データ、ユーザ等のメッセージ（テキストデータ））をインターネット網を介して第三者にリアルタイムで公開することができる地図表示情報の作成システムを提供することにある。
【００１６】
本発明の他の目的は、検索すべき位置近辺を指定する位置情報、及び検索結果の地図画像に併記すべき情報をＫＭＬで記述し、地図情報の検索処理を外部の既成の検索サイトに代行させることを可能にして、システムの設備負担を軽減した地図表示情報の作成方法を提供することにある。
【００１７】
本発明の他の目的は、ＫＭＬ出力サイトによって記録されたユーザに関する情報（例えば、移動経路を示す画像データ、ユーザ等の顔写真データ、ユーザ等の現在位置や移動経路周辺の風景写真データ、ユーザ等のメッセージ（テキストデータ））をインターネット網を介して第三者にリアルタイムで公開することができる地図表示情報の作成方法を提供することにある。
【課題を解決するための手段】
【００１８】
本発明は、上記した従来の地図表示情報の作成システムの課題に鑑みてなされたものであり、ネットワークを介して相互に通信接続された広告データベースサーバ、ウェブサーバ、及びユーザ端末装置から構成され、前記ユーザ端末装置から指定された位置情報に関連する地図情報に、前記広告データベースサーバから摘出した広告情報を合成した地図画像を、前記ユーザ端末装置に表示する地図表示情報の作成システムであって、広告主の広告を前記広告データベースサーバに登録する手段と、ユーザ等の位置情報と検索結果の地図情報に併記すべき表示情報を含むＫＭＬ（Keyhole Markup Language）を、前記ユーザ端末装置において作成し、前記ウェブサーバに送信する手段と、前記位置情報に示されている位置近辺の広告主の広告を、前記ウェブサーバからの依頼により、前記広告データベースサーバにおいて検索し、前記ウェブサーバに送信する手段と、前記ＫＭＬに含まれる前記位置情報及び前記表示データと、前記検索結果として摘出された広告とを含む広告付きＫＭＬを、前記ウェブサーバにおいて作成する手段と、前記広告付きＫＭＬを、前記ユーザ端末装置または外部の検索システムに送信する手段と、を備えたことを特徴とする地図表示情報の作成システムを提供するものである。
【００１９】
ここで、前記地図表示情報の作成システムにおいて、前記表示情報には、テキストデータ又は写真を含む画像データ、及び動画が含まれていることを特徴とする。
【００２０】
また、前記地図表示情報の作成システムにおいて、前記ユーザ端末装置は、前記ＫＭＬを作成し、その応答である広告付きの地図情報を表示するブラウザアプリケーションを備えていることを特徴とする。
【００２１】
また、前記地図表示情報の作成システムにおいて、前記ウェブサーバにおいて作成される前記広告付きＫＭＬには、前記位置情報が示す位置から前記広告主の広告ポイントまでの案内表示データ及び階層的構成の広告情報が含まれており、地図情報の検索時に、検索結果の地図情報に併せて、前記階層的構成の広告情報が、前記ブラウザアプリケーションの、前記構成されている階層に沿った画面操作に基づいて、順次表示されることを特徴とする。
【００２２】
また、前記地図表示情報の作成システムにおいて、前記案内表示データには、前記位置情報が示す位置から前記広告主の広告ポイントまでの距離及び／または方角を示すデータが含まれていることを特徴とする。
【００２３】
また、本発明は、ネットワークを介して相互に通信接続された広告データベースサーバ、ウェブサーバ、及びユーザ端末装置を備え、前記ユーザ端末装置から指定された位置情報に関連する地図情報に、前記広告データベースサーバから摘出した広告情報を合成した地図画像を、前記ユーザ端末装置に表示する地図表示情報の作成方法であって、広告主の広告を前記広告データベースサーバに登録するステップと、ユーザ等の位置情報と検索結果の地図情報に併記すべき表示情報を含むＫＭＬ（Keyhole Markup Language）を、前記ユーザ端末装置において作成し、前記ウェブサーバに送信するステップと、前記位置情報に示されている位置近辺の広告主の広告を、前記ウェブサーバからの依頼により、前記広告データベースサーバにおいて検索し、前記ウェブサーバに送信するステップと、前記ＫＭＬに含まれる前記位置情報及び前記表示データと、前記検索結果として摘出された広告とを含む広告付きＫＭＬを、前記ウェブサーバにおいて作成するステップと、前記広告付きＫＭＬを、前記ユーザ端末装置または外部の検索システムに送信するステップと、を備えたことを特徴とする地図表示情報の作成方法を提供するものである。
【００２４】
ここで、前記地図表示情報の作成方法において、前記表示情報には、テキストデータ又は写真を含む画像データ、及び動画が含まれていることを特徴とする。
【００２５】
また、前記地図表示情報の作成方法において、前記表示情報には、テキストデータ又は写真を含む画像データ、及び動画が含まれていることを特徴とする。
【００２６】
また、前記地図表示情報の作成方法において、前記ユーザ端末装置は、前記ＫＭＬを作成し、その応答である広告付きの地図情報を表示するブラウザアプリケーションを備えていることを特徴とする。
【００２７】
また、前記地図表示情報の作成方法において、前記ウェブサーバにおいて作成される前記広告付きＫＭＬには、前記位置情報が示す位置から前記広告主の広告ポイントまでの案内表示データ及び階層的構成の広告情報が含まれており、地図情報の検索時に、検索結果の地図情報に併せて、前記階層的構成の広告情報が、前記ブラウザアプリケーションの、前記構成されている階層に沿った画面操作に基づいて、順次表示されることを特徴とする。
【００２８】
さらに、前記地図表示情報の作成方法において、前記案内表示データには、前記位置情報が示す位置から前記広告主の広告ポイントまでの距離及び／または方角を示すデータが含まれていることを特徴とする。
【発明の効果】
【００２９】
本発明によれば、広告付きＫＭＬを、第三者、即ち、広くインターネット上の外部の検索システムに引き渡し、外部の検索システムにおける検索時に、ＫＭＬに含めた広告を表示させることができるので、多数の一般ユーザの目に触れさせることが可能となり、多大な広告効果を期待することができる。
【００３０】
また、外部の検索システムを活用するので、検索システムの設置に要するサーバのコスト負担を僅少にすることができる。
【００３１】
また、移動中のユーザの周辺地域と地理的に関係した広告情報を、広告主の店舗まで誘導する道案内と共に当該ユーザ等に提示できるので、移動中のユーザには便利であり、かつ広告効果を向上させることができる。
【００３２】
また、ユーザの現在位置近辺に存在する店舗に関する広告主の広告を、詳細情報も含めてユーザに表示できるので、ユーザを、即座に広告の店舗に向かわせる動機付けが可能となり、実戦的な広告効果が期待できる。
【００３３】
また、ユーザが過去に旅行した地域と地理的に関係した広告情報やユーザのメッセージを提供できるので、これらをインターネット網上に公開することも可能となり、ユーザの広報活動に資することができる。
【００３４】
さらに、移動中のユーザの周辺地域の地図画像と合成して表示される広告提示位置をクリックすることにより、当該広告の更に詳細な情報が段階的に提示されるので、ユーザには一層便利であり、かつ広告効果が一層高くなる。
【００３５】
そして、広告付きＫＭＬには、広告情報を埋め込むと共にＫＭＬ位置情報（店舗の位置情報や移動中のユーザの位置情報等、具体的にはユーザ端末装置３の位置情報）と、広告位置情報との位置関係（距離と方角）を含めているので、ユーザは、必ずしも紙に書かれた地図を携帯する必要がなくなり、また、必ずしも地図情報上に広告を表示する必要もない（即ち、全く地図が無いテキストのみのページであっても、広告目的を果たさせることができる）。このため、解像度が低い携帯電話器でも利用可能な単純な画像にも仕上げることができる。
【発明を実施するための最良の形態】
【００３６】
以下、図面を参照して、本発明の実施の形態について詳細に説明する。
【００３７】
図１は、本発明の実施形態に係る地図表示情報の作成システムの全体構成を示すものである。
図１に示す本発明の実施形態に係る地図表示情報の作成システムは、広告主が依頼する広告及び地域ＩＤ（識別名）を登録時に記憶し、検索する広告データベースサーバ１と、広告情報等をインターネット網上に公開したり、インターネット網を介して他の既成のサイトと情報交換するための処理を行うウェブサーバ２と、地図情報の検索・表示を依頼する場合に使用されるユーザ端末装置３と、インターネット網を含むＷＡＮ（Wide Area Network）及びＬＡＮ（Local Area Network）等で構築され、広告データベースサーバ１とウェブサーバ２とを結ぶネットワーク１０と、インターネット網、公衆電話回線、及び携帯電話回線を含みウェブサーバ２とユーザ端末装置３とを結ぶネットワーク２０と、を備えて構成される。
【００３８】
広告データベースサーバ１は、広告主が依頼する広告を登録している広告データ記憶部１１と、広告データ記憶部１１に登録されている広告データを検索する広告検索部１２と、地域毎に割り当てられた地域ＩＤ（識別情報）を記憶している地域ＩＤ記憶部１３と、地域ＩＤ記憶部１３が記憶する地域ＩＤを検索する地域ＩＤ検索部１４と、ネットワーク１０とのインターフェースを有するネットワークＩＦ部１５と、を備える。
【００３９】
ウェブサーバ２は、広告スクリプト等の表現に必要なＨＴＭＬコード等を記憶するＨＴＭＬデータ記憶部２１と、移動中のユーザの位置情報や、広告位置情報を表現するためのＫＭＬデータを記憶するＫＭＬデータ記憶部２２と、広告スクリプトを作成してＫＭＬデータに埋め込む処理を行うスクリプト処理部２３と、ネットワーク２０とのインターフェースを有するネットワークＩＦ部２５と、上記の各部を制御する制御部２４と、を備える。
【００４０】
広告データベースサーバ１及びウェブサーバ２は、具体的なハードウェア装置としては、ＣＰＵ、メモリ、外部記憶装置、通信装置、入力装置、出力装置、読取装置、等を備えた標準的なコンピュータ・システム（図示は省略）によって構成することができる。この他に、例えば、暗号化装置、回線制御装置、等を備えることができる。
【００４１】
ユーザ端末装置３は、具体的には、ユーザの自宅・事務所等に設置される端末装置または固定電話器（ファクシミリ装置を含む）、若しくは移動中のユーザが携帯する携帯端末装置、携帯電話器、ナビゲーション・システム等であってよい。
【００４２】
以下、本実施形態に係る地図表示情報の作成システムの機能を、主要な構成要素毎に説明する。
広告データベースサーバ１は、登録時に広告主が依頼する広告及び地域ＩＤ（識別名）をデータベースにそれぞれ記憶しており、ウェブサーバ２からの要求により、広告情報や地域情報を検索できるように構成されている。
【００４３】
ウェブサーバ２は、広告主を含むユーザを認証する処理や、広告情報の登録処理を行う。また、広告情報等を直接的にインターネット網上に公開したり、広告情報と地図情報とを合成した広告付き地図情報を提供する処理を行う。広告情報を地図情報と合成して提供する場合には、インターネット網上の他の既成の検索サイト等と情報交換するために必要なＫＭＬ形式のプログラムやデータの作成を行う。
【００４４】
ユーザ端末装置３は、移動中のユーザが地図情報の検索・表示を依頼する場合等において、ブラウザアプリケーション３２を介してデータを入力し、入力されたデータからＫＭＬデータを作成し、当該ＫＭＬデータをウェブサーバ２に送信するために使用される。また、その応答として、検索結果である地図情報等をブラウザアプリケーション３２の表示画面に表示することができる。
ここで、ユーザ端末装置３の役割を纏めると、
（１）ＫＭＬデータの出力（即ち、データを入力し、入力されたデータからＫＭＬデータを作成し、当該ＫＭＬデータをウェブサーバ２に送信する）、
（２）位置情報の出力（例えば、ろぐの細道等のＫＭＬ作成サイトに対して、位置情報を送信するときに使用する。端末が携帯電話の場合には、移動中の自身の位置情報を送信する役割になる）、
（３）ＫＭＬ（地図表示情報）の表示（即ち、ユーザはユーザ端末装置から検索サイト（Googleローカル検索等）にアクセスして、キーワードを入力すると、その検索結果として、地図と一緒に広告付きＫＭＬのコンテンツ（文字、画像、動画、位置情報）が表示される）、となる。但し、ＫＭＬを作成するのは、他のＫＭＬ出力サイトであってもよい。
【００４５】
ネットワーク１０は、具体的には、インターネット網を含むＷＡＮ（Wide Area Network）及びＬＡＮ（Local Area Network）等で構築され、広告データベースサーバ１とウェブサーバ２とを双方向通信可能に接続する機能を有する。
【００４６】
また、ネットワーク２０は、具体的には、インターネット網、公衆電話回線、及び携帯電話回線を含む通信網として構築され、ウェブサーバ２とユーザ端末装置３とを双方向通信可能に接続する機能を有する。
【００４７】
広告データベースサーバ１の広告データ記憶部１１は、登録時に広告主が依頼した広告をウェブサーバ２を介して受け取り、データベース（図示は省略）に登録している。この登録処理の具体的内容は、広告主ＩＤ（識別情報）と共に、具体的な広告を表示させるために必要な各種の情報（図７（ａ）参照）を広告主ＩＤに対応付けて記憶すると共に、広告主ＩＤから割り出される市町村ＩＤや広告カテゴリ（図７（ｂ）参照）をデータベースに記憶することである。
【００４８】
広告検索部１２は、広告データ記憶部１１のデータベースに登録されている広告データをウェブサーバ２からの依頼により検索し、その検索結果である広告データ（具体的な広告を表示させるために必要な各種の情報及び市町村ＩＤや広告カテゴリ）をウェブサーバ２に応答する。
【００４９】
地域ＩＤ記憶部１３は、地域毎に割り当てられた地域ＩＤを、検索に必要なキーデータ（図６（ａ）参照）と対応付けてデータベース（図示は省略）記憶している。また、地域ＩＤから割り出される具体的な所在場所の名称等の情報（図６（ｂ）乃至（ｄ）参照）も前記データベースに記憶している。
【００５０】
地域ＩＤ検索部１４は、地域ＩＤ記憶部１３が記憶する地域ＩＤをウェブサーバ２からの依頼により検索し、その結果である具体的な所在場所の名称等の情報（図６（ｂ）乃至（ｄ）参照）をウェブサーバ２に応答する。
【００５１】
ウェブサーバ２のＨＴＭＬデータ記憶部２１は、広告スクリプト（図４参照）等の表現に必要なＨＴＭＬコード等を記憶するＨＴＭＬデータをデータベース（図示は省略）記憶している。
【００５２】
スクリプト処理部２３は、前述の広告スクリプトを作成し、これを他の既成の検索サイト等に送信するためのＫＭＬデータに埋め込む処理を行う（図４参照）。この埋め込み処理は、外部検索システムとのインターフェース仕様を順守し、外部検索システムにおいて、広告付きの地図情報の表示や、その詳細情報の段階的な表示が可能となるように埋め込むものとする。
【００５３】
ＫＭＬデータ記憶部２２は、他の既成の検索サイト等に送信するためのＫＭＬデータ（図４参照）の各種雛型をデータベース（図示は省略）に記憶している。制御部２４は、全体を制御すると共に、広告データベースサーバ１へ地域情報や広告情報の検索を依頼する処理、及び広告位置情報とＫＭＬ位置情報（店舗の位置情報や移動中のユーザの位置情報等、具体的にはユーザ端末装置３の位置情報）との間の距離計算等の処理を行う。
【００５４】
図２は、本発明の実施形態に係る地図表示情報の作成システムにおける情報の流れを示す説明図である。
図２において、本システムのウェブサーバ２は、ユーザ端末装置３や、ＫＭＬ出力サイトが出力するＫＭＬを使用した位置情報等を含むＫＭＬデータ（コンテンツ情報）を受信する。当該データから位置情報が抽出され、この位置情報をキーにして広告データ記憶部１１が管理する広告データベースが広告検索部１２により検索され、この検索結果として地域毎の広告情報が摘出され、当該広告情報が、スクリプト処理部２３及び制御部２４により、前述の受信ＫＭＬデータと合成されて広告付きＫＭＬが作成される。その後、この広告付きＫＭＬは、インターネット網等を介して既成の地図情報検索サイトが提供する検索システム（例えば、「Googleローカル検索システム」、「Googleアース検索システム」、「携帯向けGoogleマップ」等）に送信され、地図情報が検索される。この検索結果を示す画面情報は、ネットワーク２０を介してユーザ端末装置３に送信され、ブラウザアプリケーション３２の表示画面上に表示させることができる。なお、ブラウザアプリケーション３２の表示画面の機能は、前記既成の地図情報検索サイトの検索システムが提供する検索サービスの結果を表示する画面の機能となるように構成される。即ち、ウェブサーバ２は、予め作成した広告付きＫＭＬでもって地図情報の検索処理を行う既成の検索サイトとユーザ端末装置との間に介在し、ユーザと既成の検索サイトとの仲立ちを果たすことも可能である。
【００５５】
なお、図２では、ウェブサーバ２に対して、ＫＭＬ出力サイト（図２では「ろぐの細道」と表示）が出力するＫＭＬを使用した位置情報等を含むＫＭＬデータを送信する場合の例を説明している。送信端末装置がユーザ端末装置３（携帯電話器等を含む）の場合、ブラウザアプリケーション３２を介して、当該端末装置で入力可能な情報（例えば、ユーザ等の移動経路を示す画像データ、ユーザ等の顔写真データ、ユーザ等の現在位置や移動経路周辺の風景写真データ、ユーザ等のメッセージ（テキストデータ））、ＧＰＳで取得した位置情報、等のＫＭＬ形式のデータ（ＫＭＬデータ）を、ウェブサーバ２に送信することも可能である。
【００５６】
また、ユーザ端末装置３がユーザの自宅や事務所に設置された端末装置である場合であっても、前述のコンテンツ情報とは限らず、ブラウザアプリケーション３２を介して、入力可能な情報（例えば、ユーザ等の移動経路を示す画像データ、ユーザ等の顔写真データ、ユーザ等の現在位置や移動経路周辺の風景写真データ、ユーザ等のメッセージ（テキストデータ））、ユーザ等の位置情報、等のＫＭＬデータをウェブサーバ２に送信することも可能である。
【００５７】
図３は、地理的特徴を保存することができる一般的なＫＭＬの記述例を示す説明図である。図３では、緯度・経度で示されるユーザや広告ポイントの位置情報を含むＫＭＬの記述例を示している。このＫＭＬのDescription部には、ユーザのメッセージを何も記載していないが、一般にＫＭＬのDescription部には、ユーザのメッセージを記載することが可能であり、記載した場合は地図情報として表示される。
【００５８】
図４は、ユーザのメッセージを記載するＫＭＬの１例に、さらに広告スクリプトを埋め込んで成る広告付きＫＭＬの記述例を示す説明図である。
図４に示す広告付きＫＭＬでは、ユーザのメッセージとして、Description部に「筑波大学にやってきました。」という文言が記載されている。また、このDescription部には、引き続き、広告スクリプトの１例として、Javascript形式で示される広告主のウェブページ（ＵＲＬ）を含むスクリプトが記載されている。
【００５９】
なお、Description部には、図４に示すユーザのメッセージの他、一般には、適当な形式で、ユーザ等の移動経路を示す画像データ、ユーザ等の顔写真データ、ユーザ等の現在位置や移動経路周辺の風景写真データ、動画データ等を含めることができる。
【００６０】
図５は、地図情報に表示させる位置情報の処理方法の１例を示す説明図である。
移動中のユーザの位置情報は、ユーザ端末装置３からウェブサーバ２に送信されるＫＭＬに記載されており、このＫＭＬを基にウェブサーバ２において広告付きのＫＭＬが作成されて、ネットワーク２０を介して既成の地図情報検索サイトに送信される。ウェブサーバ２に送信された前記ＫＭＬに記載されている位置情報からは、ユーザの位置情報と、既に登録されている広告ポイントの位置情報との間で、ユーザの位置から広告ポイント（通常は広告主の店舗）までの方位（方角）を示す画像情報（例えば、矢印）が作成され、当該画像情報を、外部の既成の検索システムに引き渡す広告付きＫＭＬのスクリプトに含めることにより、当該画像情報を、当該外部の既成の検索システムにおける検索結果の地図画像と合成して表示させることができる。ここで、例えば、広告ポイントの位置情報における経度をＸ１、緯度をＹ１とし、ＫＭＬに含まれるユーザの位置情報における経度をＸ２、緯度をＹ２として、この方位（ｔａｎθ）は、
ｔａｎθ＝｜Ｙ１−Ｙ２｜／｜Ｘ１−Ｘ２｜
で計算している。
【００６１】
図６は、地域毎に割り当てられた地域ＩＤと、対応する位置情報とを示すテーブルの説明図であり、図６（ａ）は「地域ＩＤ変換テーブル」、図６（ｂ）は「市区町村テーブル」、図６（ｃ）は「都道府県名テーブル」、図６（ｄ）は「国名テーブル」を、それぞれ示すものである。
図６（ａ）の「地域ＩＤ変換テーブル」には、地域ＩＤ、地域メッシュ中心のＸ軸上の位置、地域メッシュ中心のＹ軸上の位置、市町村ＩＤが、それぞれ対応付けて示されている。図６（ｂ）の「市区町村テーブル」には、市区町村ＩＤ、市町村名、都道府県ＩＤが、それぞれ対応付けて示されている。図６（ｃ）の「都道府県名テーブル」には、都道府県ＩＤ、都道府県名、国ＩＤが、それぞれ対応付けて示されている。図６（ｄ）の「国名テーブル」には、国ＩＤと国名とが対応付けて示されている。
【００６２】
図７は、広告主に割り当てられた広告主ＩＤと関連する広告情報とを示すテーブルの説明図であり、図７（ａ）は「広告基本データテーブル」、図７（ｂ）は「広告エリアテーブル」を、それぞれ示すものである。
図７（ａ）の「広告基本データテーブル」には、広告主ＩＤ、広告情報スクリプト、広告位置情報の経度、広告位置情報の緯度、広告カテゴリＩＤ、広告登録日時、広告編集日時が、それぞれ対応付けて示されている。図７（ｂ）の「広告エリアテーブル」には、広告主ＩＤ、市町村ＩＤ、広告カテゴリＩＤが、それぞれ対応付けて示されている。
【００６３】
図８は、広告付きＫＭＬにより表示される広告付き地図情報の１例を示す説明図である。
図８に示す広告付き地図情報は、ユーザ端末装置３が携帯電話器でない場合の表示に適しているが、携帯電話器である場合にも表示することが可能である。ここでは、Ｇｏｏｇｌｅ社のローカル検索システムによる検索結果を示している。
【００６４】
図９は、広告付きＫＭＬにより表示される広告付き地図情報の他の１例を示す説明図である。
図９に示す広告付き地図情報は、ユーザ端末装置３が携帯電話器である場合の表示に適しているが、一般の端末装置にも表示することが可能である。ここでは、Ｇｏｏｇｌｅ社の携帯電話器向けの検索システムによる検索結果を示している。
【００６５】
図１０乃至１２は、本発明の実施形態に係る地図表示情報の作成システムにおける広告付きＫＭＬを作成する処理の動作を示すフローチャート図である。
以下、図１乃至９を参照しながら、図１０乃至１２に示すフローチャート図を使用して、本実施形態に係る地図表示情報の作成システムにおける広告付きＫＭＬを作成する処理の動作を説明する。
【００６６】
（ステップＳ１）
まず、ステップＳ１では、ウェブサーバ２の制御部２４が、ユーザ端末装置３から、ネットワーク２０とネットワークＩＦ部２５を介して、ＫＭＬを受信する処理（ＫＭＬ読込処理）を行う。
【００６７】
（ステップＳ２）
ステップＳ２では、受信したＫＭＬの内容を解析する。
【００６８】
（ステップＳ３）
ステップＳ３では、制御部２４が、上記解析結果として、受信したＫＭＬに端末装置３の位置を示す位置情報（即ち、ＫＭＬ位置情報）の存在が確認されたか否かを検証し、位置情報が存在する場合はＫＭＬの位置情報をキーにした「地域ＩＤ変換テーブル」の検索依頼を広告データベースサーバ１の地域ＩＤ検索部１４に送信し、ステップＳ４に移る。位置情報が存在しない場合はステップＳ７に移る。
【００６９】
（ステップＳ７）
ステップＳ７では、スクリプト処理部２３が、ＫＭＬに通常の広告を追加し、処理を終了する。
【００７０】
（ステップＳ４）
ステップＳ４では、制御部２４からの依頼を受けた広告データベースサーバ１の地域ＩＤ検索部１４が、ＫＭＬの位置情報をキーにして「地域ＩＤ変換テーブル」（図６（ａ））を検索し、市区町村ＩＤを特定して、制御部２４に応答する。
【００７１】
（ステップＳ５）
ステップＳ５では、制御部２４からの依頼を受けた広告データベースサーバ１の広告検索部１２が、市区町村ＩＤをキーにして「広告エリアテーブル」（図７（ｂ））を検索し、該当する広告主ＩＤを抽出して制御部２４に応答する。
【００７２】
（ステップＳ６）
ステップＳ６では、制御部２４が、上記「広告エリアテーブル」の検索により、市区町村ＩＤに該当する広告主（より具体的には広告主ＩＤ）が存在するか否かを検証し、該当する広告主が存在する場合は広告主ＩＤをキーにした「広告基本データテーブル」の検索依頼を広告データベースサーバ１の広告検索部１２に送信し、ステップＳ２１（図１１）に移る。該当する広告主が存在しない場合はステップＳ７に移る。
【００７３】
（ステップＳ２１）（図１１）
ステップＳ２１では、制御部２４からの依頼を受けた広告データベースサーバ１の広告検索部１２が、広告主ＩＤをキーにして「広告基本データテーブル」（図７（ａ））を検索し、該当する広告スクリプト、広告位置情報、及び広告カテゴリを抽出する。
【００７４】
（ステップＳ２２）
ステップＳ２２では、広告検索部１２が、上記抽出した広告カテゴリ検索のヒット結果が所定数を超えるか否かを検証し、当該ヒット結果が所定数を超える場合はステップＳ２３に進み、当該ヒット結果が所定数以内である場合はステップＳ２７に進む。
【００７５】
（ステップＳ２３）
ステップＳ２３では、広告検索部１２が、広告カテゴリの内容に応じて広告カテゴリの絞り込み処理を行う。
【００７６】
（ステップＳ２４）
ステップＳ２４では、広告検索部１２が、上記検索結果に広告位置情報が含まれているか否かを検証し、応答された検索結果に広告位置情報が含まれている場合はステップＳ２５に進み、応答された検索結果に広告位置情報が含まれていない場合はステップＳ３４（図１２）に移る。
【００７７】
（ステップＳ２５）
ステップＳ２５では、広告検索部１２が、応答された広告位置情報検索のヒット結果が所定数を超えるか否かを検証し、当該ヒット結果が所定数を超える場合はステップＳ２６に進み、当該ヒット結果が所定数以内である場合はステップＳ２７に進む。
【００７８】
（ステップＳ２６）
ステップＳ２６では、広告検索部１２が、ＫＭＬ位置情報と広告位置情報との間の距離に応じて、広告位置情報の絞り込み処理を行う。
【００７９】
（ステップＳ２７）
ステップＳ２７では、広告検索部１２が、上記絞り込んだ検索結果から、ランダムに広告情報を選択し、当該選択結果を制御部２４に応答した後、ステップＳ３１（図１２）に移る。
【００８０】
（ステップＳ３１）（図１２）
ステップＳ３１では、制御部２４が、広告位置情報とＫＭＬ位置情報との間の距離計算処理を行う。
【００８１】
（ステップＳ３２）
ステップＳ３２では、制御部２４が、広告位置情報とＫＭＬ位置情報との間の距離の表記最適化処理を行う。
【００８２】
（ステップＳ３３）
ステップＳ３３では、制御部２４が、ＫＭＬ位置情報から広告位置情報に向かう方位の計算処理を行う（図５参照）。
【００８３】
（ステップＳ３４）
ステップＳ３４では、制御部２４が、ＫＭＬに対して、広告スクリプト、ＫＭＬ位置情報から広告位置情報に向かう方位、及び広告位置情報とＫＭＬ位置情報との間の距離を、それぞれ追加して、広告付きＫＭＬを作成する。
【００８４】
（ステップＳ３５）
ステップＳ３５では、制御部２４が、外部の検索システム（Ｇｏｏｇｌｅ、Ｙａｈｏｏ！等の既成の検索エンジン・サイト）に対して、新たなＫＭＬが生成されたことをＸＭＬ形式の言語で通知し、処理を終了する。
【００８５】
なお、本実施の形態では、ウェブサーバ２が、予め作成した広告付きＫＭＬでもって地図情報の検索処理を行う既成の検索サイトとユーザ端末装置との間に介在し、あたかも地図情報の検索処理の代行を果たすことも可能であるが、作成した広告付きＫＭＬは、そのままユーザ端末装置３に引渡し、ユーザが、この広告付きＫＭＬを任意に使用できるように構成することも可能である。
【００８６】
また、本発明に係る地図表示情報の作成システムの各構成要素の処理の少なくとも一部をコンピュータ制御により実行するものとし、かつ、上記処理を、図１０乃至１２のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【産業上の利用可能性】
【００８７】
本発明は、地図表示情報の作成システム及び地図表示情報の作成方法に係り、特に、地理的特徴を有するＰＯＩ（Point of Interest）の地図表示情報の作成システム及び地図表示情報の作成方法に関するものであり、産業上の利用可能性を有する。
【図面の簡単な説明】
【００８８】
【図１】本発明の実施形態に係る地図表示情報の作成システムの全体構成を示すものである。
【図２】本発明の実施形態に係る地図表示情報の作成システムにおける情報の流れを示す説明図である。
【図３】地理的特徴を保存することができる一般的なＫＭＬの記述例を示す説明図である。
【図４】ユーザのメッセージを記載するＫＭＬの１例に、さらに広告スクリプトを埋め込んで成る広告付きＫＭＬの記述例を示す説明図である。
【図５】地図情報に表示させる位置情報の処理方法の１例を示す説明図である。
【図６】地域毎に割り当てられた地域ＩＤと、対応する位置情報とを示すテーブルの説明図であり、図６（ａ）は「地域ＩＤ変換テーブル」、図６（ｂ）は「市区町村テーブル」、図６（ｃ）は「都道府県名テーブル」、図６（ｄ）は「国名テーブル」を、それぞれ示すものである。
【図７】広告主に割り当てられた広告主ＩＤと関連する広告情報とを示すテーブルの説明図であり、図７（ａ）は「広告基本データテーブル」、図７（ｂ）は「広告エリアテーブル」を、それぞれ示すものである。
【図８】広告付きＫＭＬにより表示される広告付き地図情報の１例を示す説明図である。
【図９】広告付きＫＭＬにより表示される広告付き地図情報の他の１例を示す説明図である。
【図１０】本発明の実施形態に係る地図表示情報の作成システムにおける広告付きＫＭＬを作成する処理の動作を示すフローチャート図（１／３）である。
【図１１】本発明の実施形態に係る地図表示情報の作成システムにおける広告付きＫＭＬを作成する処理の動作を示すフローチャート図（２／３）である。
【図１２】本発明の実施形態に係る地図表示情報の作成システムにおける広告付きＫＭＬを作成する処理の動作を示すフローチャート図（３／３）である。
【符号の説明】
【００８９】
１：広告データベースサーバ
２：ウェブサーバ
３：ユーザ端末装置
１０：ネットワーク
１１：広告データ記憶部
１２：広告検索部
１３：地域ＩＤ記憶部
１４：地域ＩＤ検索部
１５：ネットワークＩＦ部
２０：ネットワーク
２１：ＨＴＭＬデータ記憶部
２２：ＫＭＬデータ記憶部
２３：スクリプト処理部
２４：制御部
２５：ネットワークＩＦ部
３１：ネットワークＩＦ部
３２：ブラウザアプリケーション部
【図１】
2009140209.tif 000003
【図２】
2009140209.tif 000004
【図３】
2009140209.tif 000005
【図４】
2009140209.tif 000006
【図５】
2009140209.tif 000007
【図６】
2009140209.tif 000008
【図７】
2009140209.tif 000009
【図１０】
2009140209.tif 000010
【図１１】
2009140209.tif 000011
【図１２】
2009140209.tif 000012
【図８】
2009140209.tif 000013
【図９】
2009140209.tif 000014